(57)【要約】    【課題】  本発明の課題は、全体の厚みが薄型でありながら、ユーザに応じてキー部の交換が容易かつ円滑に行える携帯情報端末を提供することにある。    【解決手段】  本発明に関わる携帯情報端末は、操作用の複数の操作キー５ａ、…を有する本体２を備えて成る携帯情報端末１であって、使用者の要求に応じたキーパッド５と該キーパッド５に対応するとともに本体２の上面の一部を成す平板状のキー用ケースｃとに本体２へ取り換え可能であることを特徴としている。    【選択図】  図１
2006066964.tif 000002
【特許請求の範囲】
【請求項１】
操作用の複数の操作キーを有する本体を備えて成る携帯情報端末であって、
使用者の要求に応じたキーパッドと該キーパッドに対応するとともに前記本体の上面の一部を成す平板状のキー用ケースとに前記本体へ取り換え可能である
ことを特徴とする携帯情報端末。
【請求項２】
前記キー用ケースは、本体係止手段を有し、
前記本体は、嵌入用切欠き部および該嵌入用切欠き部に続く係止切欠き部を具え、
前記キーパッドと組合わせた前記キー用ケースの本体係止手段を、前記本体の嵌入用切欠き部へ挿入して、前記キーパッドおよびキー用ケースを摺動することにより前記本体の係止切欠き部に係止して、前記キーパッドおよびキー用ケースを前記本体に嵌合する
ことを特徴とする請求項１に記載の携帯情報端末。
【請求項３】
さらに、文字、画像等の各種情報を表示する表示部を備え、
前記キー用ケースは、キーパッド種類被判別部を有し、
前記本体は、前記キーパッド種類被判別部を検知して前記キーパッドの種類を判別するキーパッド種類認識手段を具え、
前記キーパッドと該キーパッドに対応したキー用ケースを前記本体に嵌合時、前記キー用ケースのキーパッド種類被判別部から前記キーパッド種類認識手段によって判別した前記キーパッドの種類を示す認識信号に従って、前記表示部の表示等を制御する制御ソフトウェアを変更する制御手段を具備する
ことを特徴とする請求項１または請求項２に記載の携帯情報端末。
【発明の詳細な説明】
【技術分野】
【０００１】
本発明は、使用者の要求に応じてキーパッドが取り換え可能である携帯情報端末に関する。
【背景技術】
【０００２】
従来、特許文献１に記載されたキーパッド１０１の交換が可能な携帯電話機１００は、図６に示すように、キーパッド１０１を交換する場合、キーパッド１０１側の筐体ケース１０２全体を取り外すことによって行う構造であり、この場合、ねじ１０６、１０６、…による締結をドライバｄにより外して行っている。
【０００３】
また、特許文献２に記載の無線電話送受器２００は、図７に示すように、ハウジング２０１、キーパッド２０２、およびフェースプレート２０３により構成され、ハウジング２０１内には制御回路を内包している。この無線電話送受器２００は、制御回路を構成する内装実装部品の保護のため、ハウジング２０１の一部として保護用ケース板２０１ｍが配設されている。
【特許文献１】実用新案登録番号  第３０５４４１４号
【特許文献２】特開平０９−１３０４６４号公報
【発明の開示】
【発明が解決しようとする課題】
【０００４】
ところで、上述の特許文献１に記載の携帯電話機１００は、キーパッド１０１を交換する場合、ドライバｄによりねじ１０６、１０６、…の締結、解除を行うため、必ずしも作業が容易であるとは言い難く、作業性に問題がある。
【０００５】
また、特許文献２に記載の無線電話送受器２００は、キーパッド２０２、フェースプレート２０３が交換可能であるものの、内装実装部品の保護のため、保護用ケース板２０１ｍが配設されており、無線電話送受器２００自体の厚みが増加するという欠点がある。
【０００６】
加えて、従来の携帯電話機においては、使用者の必要等に応じて、例えば、お年寄り、子供向け、バイリンガル(英語、仏語等)向けに、多種多様なキーパッドに容易かつ円滑に交換することは困難であった。
【０００７】
本発明は上記実状に鑑み、全体の厚みが薄型でありながら、ユーザに応じてキー部の交換が容易かつ円滑に行える携帯情報端末の提供を目的とする。
【課題を解決するための手段】
【０００８】
上記目的を達成するべく、本発明の請求項１に関わる携帯情報端末は、操作用の複数のキーを有する本体を備えて成る携帯情報端末であって、使用者の要求に応じたキーパッドと該キーパッドに対応するとともに前記本体の上面の一部を成す平板状のキー用ケースとに前記本体へ取り換え可能であることを特徴としている。
【０００９】
本発明の請求項２に関わる携帯情報端末は、請求項１に記載の携帯情報端末において、前記キー用ケースは、本体係止手段を有し、前記本体は、嵌入用切欠き部および該嵌入用切欠き部に続く係止切欠き部を具え、前記キーパッドと組合わせた前記キー用ケースの本体係止手段を、前記本体の嵌入用切欠き部へ挿入して、前記キーパッドおよびキー用ケースを摺動することにより前記本体の係止切欠き部に係止して、前記キーパッドおよびキー用ケースを前記本体に嵌合することを特徴としている。
【００１０】
本発明の請求項３に関わる携帯情報端末は、請求項１または請求項２に記載の携帯情報端末において、さらに、文字、画像等の各種情報を表示する表示部を備え、前記キー用ケースは、キーパッド種類被判別部を有し、前記本体は、前記キーパッド種類被判別部を検知して前記キーパッドの種類を判別するキーパッド種類認識手段を具え、前記キーパッドと該キーパッドに対応したキー用ケースを前記本体に嵌合時、前記キー用ケースのキーパッド種類被判別部から前記キーパッド種類認識手段によって判別した前記キーパッドの種類を示す認識信号に従って、前記表示部の表示等を制御する制御ソフトウェアを変更する制御手段を具備することを特徴としている。
【発明の効果】
【００１１】
以上、詳述した如く、本発明の請求項１に関わる携帯情報端末は、使用者の要求に応じたキーパッドと該キーパッドに対応するとともに本体の上面の一部を成す平板状のキー用ケースとに本体へ取り換え可能であるので、多種多様な使用者の要求に対応してキーパッドおよびキー用ケースの交換が行え、同一の携帯情報端末を、多種多様な使用者の要求に対応して使用できる。
【００１２】
本発明の請求項２に関わる携帯情報端末は、キーパッドおよびキー用ケースを摺動することにより本体に嵌合するので、キーパッドおよびキー用ケースの高さ方向の位置決めを確実に行え、薄型構造にできる。
【００１３】
本発明の請求項３に関わる携帯情報端末は、キー用ケースがキーパッド種類被判別部を有し、本体はキーパッド種類被判別部を検知してキーパッドの種類を判別するキーパッド種類認識手段を具え、キーパッドと該キーパッドに対応したキー用ケースを本体に嵌合時、キー用ケースのキーパッド種類被判別部からキーパッド種類認識手段によって判別されたキーパッドの種類を示す認識信号に従って、表示部の表示等を制御する制御ソフトウェアを変更する制御手段を具備するので、容易にキーパッドの種類を判別し、それに対応した表示部の表示等の制御へ変更できる。
【発明を実施するための最良の形態】
【００１４】
以下、本発明の実施形態について添付図面を参照して説明する。
【００１５】
本発明を適用した携帯電話機(携帯情報端末)１は、図１(ａ)に示すように、制御部等が収容される本体２に、文字、画像等の各種情報を表示する液晶表示部(表示部)７を有する蓋体３が、ヒンジ部４により開閉自在に連結されている。
【００１６】
携帯電話機１の蓋体３には、液晶表示部７の他に、受話部８およびアンテナ(図示せず)等が設置されている。
【００１７】
携帯電話機１の本体２は、その分解図である図２に示すように、ポリカーボネイト、ＡＢＳ等のプラスチック製の箱状の本体外ケースｋと、同様なプラスチック製であり本体２の上面の一部を成す平板状のキー用ケースｃと、同様なプラスチック製のキー交換用ロック蓋ｆとにより覆われている。
【００１８】
上記キー用ケースｃには、図１(ａ)に示すように、所定のキー用孔ｃ1、ｃ1、…が穿孔されており、該キー用孔ｃ1、ｃ1、…から、テンキーや各種ファンクションキーなどの操作キー５ａ、…のキートップ５ａ1、…が露出している。
【００１９】
これら操作キー５ａ、…は、図１(ａ)のＡ−Ａ線断面図の図１(ｂ)に示すように、キー用ケースｃと略同一の大きさを有する平板状のゴム製のキーパッド５の一部として、凸状の所定形状に成形されている。  このキーパッド５は、操作キー５ａ、…を内部から照光表示するため、透光性のシリコンゴム等を用いて製造されている。
【００２０】
このキーパッド５における各操作キー５ａ、…のキートップ５ａ1、…には、内部からの光を透過させる数字、記号等を除いた部分に金属色の印刷が施されたり、或いは、数字、記号等を印刷して遮光し、他の部分を透光させている。
【００２１】
なお、各操作キー５ａ、…を、透光性を有するポリカーボネイト等のプラスチックで成形し、キーパッドの所定位置に接着し接合して構成してもよい。  この場合、各操作キー５ａ、…の下面(キートップ５ａ1、…と反対側の面)に数字、記号等を表示するための印刷が施される。
【００２２】
ここで、キー用ケースｃの下面側には、キーパッド５を位置決めして保持するための位置決めボス(図示せず)が複数立設されており、一方、キーパッド５には、当該位置決めボスに対応する所定位置に、位置決めボスの径より若干、細い径の位置決め孔(図示せず)が複数成形されている。
【００２３】
このキーパッド５の複数の位置決め孔に、対応するキー用ケースｃの下面の複数の位置決めボスを嵌入することにより、キー用ケースｃにキーパッド５が位置決めされ保持されることになる。
【００２４】
このキーパッド５の下方には、ゴム製のキードーム保護用ラバー６が、クリックドームｄ、ｄ、…(後述)を収容する各室を画成して配設されており、該各室内にはクリックドームｄ、ｄ、…押圧用の押し子６o、６o、…がクリックドームｄ、ｄ、…の頂部に対向するように突設されている。
【００２５】
このキードーム保護用ラバー６は、操作キー５ａ、…を照光表示するため、光透過性のシリコンゴム等を用いて成形されている。
【００２６】
キードーム保護用ラバー６の下方には、各種電子部品、操作キー照光用のＬＥＤ等が実装される回路基板１０が配設されている。  回路基板１０の一方面には、スィッチの入切を検知するためのスィッチ用配線パターンが印刷されており、複数のキートップ５ａ1およびその押し子６oに対応する所定の位置に、スィッチ用配線パターンにおける接点間を導通させるための複数のクリックドームｄが貼り付けられている。
【００２７】
クリックドームｄは、薄肉の金属板、例えば、ステンレス鋼板を用いて製造され、一部に反転動作した際に空気を抜くための穴を有してドーム状に形成されている。
【００２８】
回路基板１０は、その他方面に各種電子部品、操作キー照光用のＬＥＤ等が実装されるとともに、ＬＥＤの光透過用の孔が所定位置に穿孔されている。
【００２９】
そして、キードーム保護用ラバー６の上方には、プラスチック製の固定枠９が配設され、キードーム保護用ラバー６を回路基板１０に密着、固定している。
【００３０】
この回路基板１０の下方には、バッテリー(図示せず)等が配設され、本体下外ケースｋ1が、上述のバッテリー等の内装部品を下面側で覆い保護している。
【００３１】
上述した構成の携帯電話機１は、使用者の要求、例えば、老人用、子供用、バイリンガル用(英語用、仏語用)、スタンダード用等に応じて、キーの形状、大きさ、デザインなどを変更したキーパッド５とこれに対応したキー用ケースｃとが、図２に示すように、本体２から取り換え可能に構成されている。
【００３２】
また、キーパッド５およびキー用ケースｃの変更に伴ない、液晶表示部７の表示等を制御する制御用ソフトウェアが変更されている。
【００３３】
この構成を実現するため、携帯電話機１は、以下の構造的特徴を備えている。
【００３４】
すなわち、図２に示すように、本体外ケースｋは、その上面に、変更されるキー用ケースｃおよびキーパッド５と、キー交換用ロック蓋ｆとを取り付けるための開口ｋoを有している。
【００３５】
この本体外ケースｋの開口ｋoに取り付けられるキー用ケースｃには、後側側面に２つの位置決めリブｃ2、ｃ2が突設されるとともに、当該キー用ケースｃの種類を認識させるためのキー認識用突起(キーパッド種類被判別部)ｃtが、キー用ケースｃの種類に応じた態様で突設されている。
【００３６】
このキー認識用突起ｃtは、その数、大きさ、突出し量、設置位置等を変更することにより、キーパッド５の種類、例えば、老人用、子供用、バイリンガル用(英語用、仏語用)、スタンダードキー用等を、携帯電話機１の制御部に認識させることができる。
【００３７】
図３は、キー用ケースｃが本体外ケースｋに装着された場合に、キー認識用突起ｃtの長さを変更して、キーパッド５の種類を認識させる例を示したものである。
【００３８】
図３(ａ)は、キー認識用突起が一番短い場合であり、キー認識用突起ｃt1により本体２に設けられた接点(キーパッド種類認識手段)ｓ1が下方に押圧されてキーパッド認識スィッチ(キーパッド種類認識手段)(図示せず)が入り、キーパッド５が第１の種類であることを認識している。
【００３９】
図３(ｂ)は、キー認識用突起が二番目に長い場合であり、キー認識用突起ｃt2により本体２に設けられた接点(キーパッド種類認識手段)ｓ1、ｓ2が下方に押圧されてキーパッド認識スィッチが入り、キーパッド５が第２の種類であることを認識している。
【００４０】
図３(ｃ)は、キー認識用突起が一番長い場合であり、キー認識用突起ｃt3により本体２に設けられた接点(キーパッド種類認識手段)ｓ1、ｓ2、ｓ3が下方に押圧されてキーパッド認識スィッチが入り、キーパッド５が第３の種類であることを認識している。
【００４１】
或いは、キー用ケースｃにおけるキー認識用突起ｃtの位置を変更して、キーパッドの種類を認識させることもできる。(概念的平面図の図４参照)
図４(ａ)は、キー用ケースｃが、矢印方向に移動することにより、キー認識用突起ｃt4によって本体２に設けられた接点(キーパッド種類認識手段)ｓ4が押圧されキーパッド認識スィッチ(キーパッド種類認識手段)が入り、キーパッド５が第１の種類であることを認識する場合を示している。
【００４２】
図４(ｂ)は、キー用ケースｃが、矢印方向に移動することにより、キー認識用突起ｃt5によって本体２に設けられた接点(キーパッド種類認識手段)ｓ5が押圧されキーパッド認識スィッチが入り、キーパッド５が第２の種類であることを認識する場合を示している。
【００４３】
図４(ｃ)は、キー用ケースｃが、矢印方向に移動することにより、キー認識用突起ｃt6によって本体２に設けられた接点(キーパッド種類認識手段)ｓ6が押圧されキーパッド認識スィッチが入り、キーパッド５が第３の種類であることを認識する場合を示している。
【００４４】
このようにして、キーパッドの種類を判別したキーパッド認識スィッチによる認識信号は、制御部(制御手段)に送られ、制御部は、キーパッドの種類に応じて制御用ソフトウェアを変更し、液晶表示部７でキーパッドの種類に応じた表示が行われる。
【００４５】
また、図２に示すように、キー用ケースｃの両側面には、本体外ケースｋへ設置するための係止突起(本体係止手段)ｃ31、ｃ32が、両外側方に向って突設されており、また、キー用ケースｃの後側側面には、キー交換用ロック蓋ｆを係止するための係止切欠きｃ4が形成されている。
【００４６】
一方、本体外ケースｋの開口ｋoに取り付けられるキー交換用ロック蓋ｆには、その前側側面に本体外ケースｋへ設置するための係止突起ｆ1、ｆ1が外方に突設されており、また、後側側面にキー用ケースｃに係止して本体外ケースｋに設置するための係止リブｆ2が、外方に突設されている。
【００４７】
ここで、係止リブｆ2は、携帯電話機１の使用者が、キー交換用ロック蓋ｆ上面の組み付け解除部ｆmを爪で図２中の矢印α方向に押圧することにより、内方に弾性変形してキー用ケースｃの係止切欠きｃ4との係止が解除するように構成されている。
【００４８】
上述のキー用ケースｃおよびキー交換用ロック蓋ｆを、本体外ケースｋの開口ｋoに取り付けるための構成として、本体外ケースｋは次の構成を具えている。
【００４９】
すなわち、本体外ケースｋの開口ｋo内の奥側の側面には、キー用ケースｃの位置決めリブｃ2、ｃ2が嵌入するための位置決め切欠きｋ2、ｋ2が、対応する位置に位置決めリブｃ2、ｃ2の大きさに対して適当なはめ合いを有して形成されており、また、キー用ケースｃのキー認識用突起ｃtが、挿通するための挿通孔ｋ1が、対応する位置にキー認識用突起ｃtより若干大きく形成されている。
【００５０】
また、本体外ケースｋの開口ｋo内の両側面には、キー用ケースｃの両側面の係止突起ｃ31、ｃ32が、挿通して係止するための組み付けリブｋ3、ｋ3がそれぞれ形成されている。
【００５１】
各組み付けリブｋ3、ｋ3には、キー用ケースｃの両側面の係止突起ｃ31が嵌入するための嵌入用切欠き(嵌入用切欠き部)ｋ31aと、嵌入後に係止するための係止切欠き(係止切欠き部)ｋ31bとが形成され、また、キー用ケースｃの両側面の係止突起ｃ32が嵌入するための嵌入用切欠き(嵌入用切欠き部)ｋ32aと、嵌入後に係止するための係止切欠き(係止切欠き部)ｋ32bとが形成されている。
【００５２】
本体外ケースｋの開口ｋo内の前側面には、キー交換用ロック蓋ｆの係止突起ｆ1、ｆ1が係止するためのロック蓋係止切欠き(図示せず)が対応する所定位置に形成されている。
【００５３】
次に、図２、図５を用いて、携帯電話機１にキーパッド５および該キーパッド５に対応するキー用ケースｃを装着する方法について説明する。
【００５４】
まず、キーパッド５の位置決め孔に、それぞれ対応するキー用ケースｃの下面の位置決めボスを嵌入して、キー用ケースｃの裏面側にキーパッド５を組み付ける。
【００５５】
次いで、キー用ケースｃとキーパッド５とのサブアッセンブリを、図２の矢印Ｂ１および概念的要部側面図の図５の矢印Ｂ１に示すように、携帯電話機１の本体２に対して移動して、キー用ケースｃの両側面の係止突起ｃ31、ｃ32を、それぞれ本体外ケースｋの開口ｋo内の両側面の組み付けリブｋ3、ｋ3の嵌入用切欠きｋ31a、ｋ32a内に嵌入して、キー用ケースｃおよびキーパッド５をキードーム保護用ラバー６、固定枠９上に載置する。(図１(ｂ)参照)
続いて、キー用ケースｃとキーパッド５とのサブアッセンブリを、図２、図５の矢印Ｂ２に示すように、キードーム保護用ラバー６、固定枠９上を摺動させて、キー用ケースｃの両側面の係止突起ｃ31、ｃ32をそれぞれ、本体外ケースｋの開口ｋo内の両側面の組み付けリブｋ3、ｋ3の係止切欠きｋ31b、ｋ32bに係止させて、キー用ケースｃおよびキーパッド５を本体２に嵌合する。
【００５６】
続いて、図２に示すように、キー交換用ロック蓋ｆを矢印Ｂ３に示す如く、本体２の本体外ケースｋおよび本体外ケースｋに嵌合されたキー用ケースｃに向けて移動し、キー交換用ロック蓋ｆの係止突起ｆ1、ｆ1を、本体外ケースｋの開口ｋo内の前側面に形成されたロック蓋係止切欠きに係止させるとともに、キー交換用ロック蓋ｆの係止リブｆ2を弾性変形させて、本体外ケースｋに嵌合されたキー用ケースｃの前側側面の係止切欠きｃ4に係止させて、キー交換用ロック蓋ｆを、本体外ケースｋおよび本体外ケースｋに嵌合されたキー用ケースｃに設置する。  こうして、図１(ａ)に示す携帯電話機１が完成する。
【００５７】
上述した如く、キー用ケースｃが本体外ケースｋに設置されると、キー用ケースｃのキー認識用突起ｃtによりキーパッド認識スィッチが入り、キーパッド５の種類が判別されるとともに、制御部によりキーパッド５の種類に応じて制御ソフトウェアが変更され、液晶表示部７の表示が対応したものとなる。
【００５８】
次に、携帯電話機１に装着したキー用ケースｃおよびキーパッド５を取り外す方法について説明する。
【００５９】
まず、作業者は、図１(ａ)に示す携帯電話機１のキー交換用ロック蓋ｆの組み付け解除部ｆmを、爪で矢印α方向に押圧することにより、キー交換用ロック蓋ｆの係止リブｆ2(図２参照)を内方に弾性変形させて、キー用ケースｃの前側面の係止切欠きｃ4との係止を外す。
【００６０】
そして、キー交換用ロック蓋ｆの係止突起ｆ1、ｆ1を、本体外ケースｋの開口ｋo内の前側側面のロック蓋係止切欠きから外し、キー交換用ロック蓋ｆを本体外ケースｋおよびキー用ケースｃから外す。
【００６１】
続いて、キー用ケースｃとキーパッド５とのサブアッセンブリを、図２、図５に示す矢印Ｂ２の反対方向にキードーム保護用ラバー６、固定枠９上を摺動させる。
【００６２】
そして、キー用ケースｃとキーパッド５とのサブアッセンブリを、図２、図５に示す矢印Ｂ１の反対方向に移動させて、キー用ケースｃの両側面の係止突起ｃ31、ｃ32を、それぞれ本体外ケースｋの開口ｋoの両側面の組み付けリブｋ3、ｋ3の嵌入用切欠きｋ31a、ｋ32aから外すことにより、本体２の本体外ケースｋから外す。
【００６３】
上記構成によれば、携帯電話機１において、使用者の要求に応じてキーパッド５およびキー用ケースｃを容易かつ円滑に交換可能である。  そのため、使用者の多種多様な要求に応じた携帯電話機を同一の携帯電話機１を用いて実現できる。
【００６４】
例えば、キーパッド５およびキー用ケースｃを変えることにより、キー形状を一般的にみられる長丸のものから丸ものに変えるとキー同士の間が広がり、指での感覚でキーの認識がし易くなる。この場合、キーの操作の面で子供からお年寄りまで幅広い年齢層に対して同じ携帯電話機１を使用できる。
【００６５】
また、キー用ケースｃおよびキーパッド５を、本体２内を摺動させて携帯電話機１に嵌合する構成であるので、携帯電話機１におけるキー用ケースｃおよびキーパッド５の高さ方向の位置決めを確実に行え、薄型構造を実現できる。
【００６６】
また、本体２の上面の一部を成す平板状のキー用ケースｃおよびキーパッド５のみを交換する構成であるから、本体外ケースｋの断面二次モーメントの減少が抑えられ、携帯電話機１の剛性の低下を防止できる。
【００６７】
また、携帯電話機１に設置するキー用ケースｃに、キーパッド５の種類を認識するためのキー認識用突起ｃtが形成され、また本体２にキーパッド認識スィッチおよび制御部が設置されるので、キーパッド５の種類を容易に認識することができるとともに、制御ソフトウェアをキーパッド５の種類に対応して変更し、液晶表示部７の表示を変更することができる。
【００６８】
なお、上述の実施例においては、本体外ケースｋの開口ｋo内の両側面の組み付けリブｋ3、ｋ3のそれぞれの嵌入用切欠きｋ31a、ｋ32aを２つ形成し、また、それに続く係止切欠きｋ31b、ｋ32bを２つ形成したが、嵌入用切欠きおよび係止切欠きを１つのみ形成してもよいし、３つ形成してもよいし、嵌入用切欠きおよび係止切欠きの数は実施例に限定されるものではない。
【産業上の利用可能性】
【００６９】
本発明の活用例として、実施例以外にコードレスホン、ＰＤＡ(Personal  Digital  Assistant)、ＰＨＳ(Personal  Handy-phone  System)、電子手帳、電子辞典等の小型の電子機器のみならず、その他の電子機器においても、本発明を有効活用できる。
【図面の簡単な説明】
【００７０】
【図１】(ａ)および(ｂ)は、本発明に関わる実施例の携帯電話機を示す斜視図、および(ａ)図のＡ−Ａ線断面図。
【図２】本発明に関わる実施例の携帯電話機を分解した状態を示す斜視図。
【図３】(ａ)、(ｂ)、および(ｃ)は、本発明に関わる実施例の携帯電話機のキー認識用突起とキーパッド認識スィッチの接点の態様を示す概念的側面図。
【図４】(ａ)、(ｂ)、および(ｃ)は、本発明に関わる実施例の携帯電話機のキー認識用突起とキーパッド認識スィッチの接点の別の態様を示す概念的平面図。
【図５】キーパッドとキー用ケースとのサブアッセンブリを本体外ケースの開口に嵌合する過程を示す概念的要部側面図。
【図６】従来のキーパッドが交換可能な携帯電話機を示す分解図。
【図７】従来の無線電話送受器を示す分解図。
【符号の説明】
【００７１】
１…携帯電話機(携帯情報端末)、
２…本体、
５…キーパッド、
７…液晶表示部(表示部)、
ｃ…キー用ケース、
ｃ31、ｃ32…係止突起(本体係止手段)、
ｃt…キー認識用突起(キーパッド種類被判別部)、
ｋ31a、ｋ32a…嵌入用切欠き(嵌入用切欠き部)、
ｋ31b、ｋ32b…係止切欠き(係止切欠き部)、
ｓ1〜ｓ6…接点(キーパッド種類認識手段)。
【図１】
2006066964.tif 000003
【図２】
2006066964.tif 000004
【図３】
2006066964.tif 000005
【図４】
2006066964.tif 000006
【図５】
2006066964.tif 000007
【図６】
2006066964.tif 000008
【図７】
2006066964.tif 000009